(57)【要約】【課題】空気増幅器を利用した圧縮空気噴射装置を提供する。【解決手段】圧縮空気を供給する導管を２つの分岐管に分けて、その分岐管の上部に空気増幅器を共に連結して空気増幅器から増幅された空気の圧力によって周辺装備の障害なく、より多量の周辺空気をより早い速度でバグフィルターに均一に供給して高い脱塵効果が発揮できるようにした空気増幅器を利用した圧縮空気噴射装置。【選択図】図１
2008115847.tif 000002
【特許請求の範囲】
【請求項１】
空気が集塵されたバグフィルターに圧縮空気を多量、高速に供給する圧縮空気噴射装置において、
前記圧縮空気の供給手段に一端が連結されて２つの導管に分けられた分岐管と、
前記分岐管の上面に穿孔して圧縮空気が噴出される噴出口からなる圧縮空気管及び、
前記２つの分岐管に形成された噴出口にそれぞれ対応する位置に形成され、また、前記噴出口に結合されて前記２つの分岐管の上部に共に固定される圧縮空気投入口と、
前記圧縮空気投入口に投入された空気を増幅して排出する圧縮空気排出口からなる空気増幅器とを含んで構成されることを特徴とする空気増幅器を利用した圧縮空気噴射装置。
【請求項２】
前記空気増幅器は、前記圧縮空気排出口が前記空気増幅器の内周面に沿って円型で側面に形成された第１ガイドと第２ガイドとの間の空間で構成され、
前記第２ガイドから分岐管の下まで延長形成されて前記圧縮空気排出口から排出される圧縮空気の流れに沿って周辺空気を吸引してバグフィルターに伝達する誘導管からなることを特徴とする請求項１に記載の空気増幅器を利用した圧縮空気噴射装置。
【請求項３】
前記空気増幅器は、前記２つの分岐管に共にかけていて、上部は周辺空気を吸引するために中央部が開いているドーナツ状に形成され、その下部は前記第２ガイドから分岐管の下まで至る誘導管が管状に形成されたことを特徴とする請求項２に記載の空気増幅器を利用した圧縮空気噴射装置。
【請求項４】
前記空気増幅器に投入される圧縮空気と前記誘導管に排出する増幅された圧縮空気が垂直をなすように構成されたことを特徴とする請求項１ないし請求項３のうちいずれか一項に記載の空気増幅器を利用した圧縮空気噴射装置。
【請求項５】
前記誘導管を介して流入されてバグフィルターに供給される流入空気と、
前記空気増幅器に流入される圧縮空気がお互いに対向をなすように構成されたことを特徴とする請求項４に記載の空気増幅器を利用した圧縮空気噴射装置。
【発明の詳細な説明】
【技術分野】
【０００１】
本発明は、空気増幅器を利用した圧縮空気噴射装置に関し、より詳細には、圧縮空気を供給する導管を２つの分岐管に分けてその分岐管の上部に空気増幅器を共に連結して空気増幅器で増幅された空気の圧力によって周辺装備の障害なく、より多量の周辺空気をより早い速度でバグフィルターに均一に供給して高い脱塵効果が発揮できるようにした空気増幅器を利用した圧縮空気噴射装置に関する。
【背景技術】
【０００２】
一般に、ほこりが多く発生する場所で室内空気中に含まれて浮遊するほこりを捕集して綺麗な空気に浄化させて外部に排出する浄化装置である集塵機にはバグフィルターを用いる。このようなバグフィルターは、空気を濾過して排出する方向とは対方である下側方向に圧縮空気を噴射してバグフィルターに捕集された汚染物を脱離させてバッグ(Ｂａｇ)の封止現象を防止している。
【０００３】
それによって、従来のバグフィルターに圧縮空気を噴射して汚染物を脱離させる圧縮空気噴射装置は、図５に示すように、噴射される空気の量と速度を増大させるために圧縮空気が供給される導管１０とバグフィルターを一定距離離隔させ、圧縮空気が供給される導管の下部には流体が湾曲面を流れる際に表面に吸着する傾向であるコアンダ効果を極大化させることができるインジェクター２０を結合して使用した。
【０００４】
しかし、このようにコアンダ効果を極大化するインジェクター２０を圧縮空気が供給される導管１０の下部に結合する場合には、理論上に圧縮空気の約８〜２０倍に当たる空気が周りからバグフィルターに流入されなければならないことにもかかわらず、インジェクター２０上部にある圧縮空気の導管１０が周辺空気の流れを妨げて実際には圧縮空気の約４〜８倍に当たる空気のみがバグフィルターに共に流入されて所望の脱塵効果に及ばれず、汚染物の脱離が不完全になされる問題点があった。
【０００５】
したがって、上記の問題点を解決するために、図６に示すように、上記インジェクター２０の上部にある圧縮空気の導管１０をインジェクター２０の側面部に固定させて圧縮空気が円型管３０及びスロット４０を段階的に経って、インジェクター２０に沿って排出されるようになっている。
【発明の開示】
【発明が解決しようとする課題】
【０００６】
しかしながら、このような従来の圧縮空気噴射装置は、上記導管１０が一側に偏心して装着されるので、装置の均衡に問題があり、特に偏心された導管１０が外力を受ける場合、容易に破損される問題点があるだけではなく、空気がインジェクター２０の内に均一に配分されず、不完全な脱離が発生する問題点があった。
【０００７】
本発明は、上記のような従来の問題点を解決するためになされたものであって、その目的は、圧縮空気が供給される導管を２つに分岐して、このように分岐された分岐管の上部に圧縮空気を吸引して排出する増幅の割合が非常に高い空気増幅器を設けて、２つの分岐管の間を介して周辺空気がバグフィルターに共に供給されるようにすることで、バグフィルターに供給される空気の流れを妨げる装備を空気が流れる領域から完全に排除することからコアンダ効果を極大化して汚染物を完全に脱離する脱塵効果を著しく向上させることができる空気増幅器を利用した圧縮空気噴射装置を提供することである。
【課題を解決するための手段】
【０００８】
上述の目的を達成するための本発明に係る空気増幅器を利用した圧縮空気噴射装置は、空気が集塵されたバグフィルターに圧縮空気を多量、高速に供給する圧縮空気噴射装置において、上記圧縮空気の供給手段に一端が連結されて２つの導管に分けられた分岐管と、上記分岐管の上面に穿孔して圧縮空気が噴出される噴出口からなる圧縮空気管及び上記２つの分岐管に形成された噴出口にそれぞれ対応する位置に形成され、また、上記噴出口に結合されて上記２つの分岐管の上部に共に固定される圧縮空気投入口と、上記圧縮空気投入口に投入された空気を増幅して排出する圧縮空気排出口からなる空気増幅器とを含んで構成されることを特徴とする。
【０００９】
また、本発明に係る上記空気増幅器は、上記圧縮空気排出口が上記空気増幅器の内周面に沿って円型で側面に形成された第１ガイドと第２ガイドとの間の空間で構成され、上記第２ガイドから分岐管の下まで延長形成されて上記圧縮空気排出口から排出される圧縮空気の流れに沿って周辺空気を吸引してバグフィルターに伝達する誘導管からなることを特徴とする。
【００１０】
また、本発明に係る上記空気増幅器は、上記２つの分岐管に共にかけていて、上部は周辺空気を吸引するために中央部が開いているドーナツ状に形成され、その下部は上記第２ガイドから分岐管の下まで至る誘導管が管状に形成されたことを特徴とする。
【００１１】
また、本発明に係る上記空気増幅器に投入される圧縮空気と上記誘導管に排出する増幅された圧縮空気が垂直をなすように構成されたことを特徴とする。
【００１２】
また、本発明に係る上記誘導管を介して流入されてバグフィルターに供給される流入空気と上記空気増幅器に流入される圧縮空気がお互いに対方するように構成されたことを特徴とする。
【発明の効果】
【００１３】
本発明に係る空気増幅器を利用した圧縮空気噴射装置によれば、２つに分岐された圧縮空気管の上部に空気増幅器を設けて、分岐管から上部方向に投入された圧縮空気を増幅して２つの分岐管の間の空間を介して投入方向とは１８０゜反対方向であるバグフィルター方向に排出することで、周辺空気の吸引時、他の外部設備の邪魔を最小化してコアンダ効果を極大化し、バグフィルターに付いた汚染物の脱塵効果を著しく向上させることができる。
【発明を実施するための最良の形態】
【００１４】
以下、本発明の実施形態について図面に基づいて説明する。
【００１５】
本実施形態に係る空気増幅器を利用した圧縮空気噴射装置は、図１及び図２に示すように、圧縮空気の供給手段に連結されて２つの導管に分けられた圧縮空気管１００と、上記圧縮空気管１００の上部に結合して２つに分けられた圧縮空気管１００との間を介して圧縮空気と共に周辺空気を吸引して図４に示されたバグフィルター３００に供給する空気増幅器２００を含んで構成される。
【００１６】
この時、上記バグフィルター３００(Ｂａｇ Ｆｉｌｔｅｒ)は、集塵機４００のハウジング内部に流入された空気を集塵するために複数個の複数列で設置され、不織布などからなるバッグ(Ｂａｇ)と、上記バッグの内部に備えられたバグケージ(Ｂａｇ Ｃａｇｅ)で構成される。
【００１７】
上記圧縮空気管１００は、従来のように上記バグフィルター３００の上側に一定距離離隔して設置され、圧縮空気供給手段に連結して圧縮された空気が供給されて伝達する管路をなす。また、上記圧縮空気供給手段も圧縮空気を蓄積する空気ヘッダー(図示せず)と、このヘッダーに結合された連結管に接続されたボール弁(図示せず)と、上記ボール弁の下側に設けられて上記圧縮空気管１００に供給される圧縮空気をパルシング(Ｐｕｌｓｉｎｇ)させるパルス弁(図示せず)を含んで構成される。
【００１８】
この時、上記圧縮空気管１００は、上記圧縮空気供給手段の連結部から２つに分岐されて２つの管路に分離した分岐管１１０で構成される。そして、上記分岐管１１０の上面には、上に穿孔されて圧縮空気が噴出される噴出口１２０が形成される。この場合、分岐管１１０の下部が密閉されることは勿論である。上記噴出口１２０は、分岐管１１０にかけて複数個が形成され、各噴出口１２０は圧縮空気管１００の中心線から垂直な方向に上記分岐管１１０にそれぞれ結合されることが望ましい。
【００１９】
上記空気増幅器２００は、図３に示すように、上記分岐管１１０の上面に形成された噴出口１２０に結合される圧縮空気投入口２１０と、上記圧縮空気投入口２１０を介して流入された空気を一定倍率に増幅して側面に排出する圧縮空気排出口２２０が形成される。
【００２０】
この時、上記空気増幅器２００は、２つの分岐管１１０にかけて結合されていて、周辺空気がバグフィルター３００に吸引される通路は上記２つの分岐管１１０の間の空間内に備えられる。
【００２１】
これによって、上記圧縮空気投入口２１０は、上記圧縮空気管１００の中心線から垂直な方向に２つの分岐管１１０にそれぞれ形成された噴出口１２０に結合されるように上記空気増幅器２００の底面に形成される。
【００２２】
また、上記圧縮空気排出口２２０は、圧縮空気管１００の内部中心線に向けるように上記２つの分岐管１１０での空気投入方向と約９０゜の角度をなして形成される。これによって、投入された空気が流れる通路をなす第１ガイド２２１と第２ガイド２２２が上記空気増幅器２００の内周面に沿って円型で側面に形成される。
【００２３】
そして、上記第２ガイド２２２から分岐管１１０の下に至るまで垂直に延長形成されて管をなす誘導管２３０がさらに形成される。それによって、上記第１ガイド２２１と第２ガイド２２２を介して排出される圧縮空気の流れに沿って上記空気増幅器２００の上部空間を満たす空気が周辺装備の邪魔にならず、バグフィルター３００の方向に共に吸引される。すなわち、上記分岐管１１０で圧縮空気投入口２１０を介して投入される空気の方向とは１８０゜対方に空気を排出してバグフィルターに付いている汚染物を脱離させるようになる。
【００２４】
上記空気増幅器２００は、２つの分岐管１１０にかけていて、中央部分は周辺空気を吸引するために穿孔されているドーナツ(ｄｏｎｕｔ)状で上部が形成され、その下部は上記第２ガイド２２２から分岐管１１０の下までに至る誘導管２３０が管状に形成される。
【００２５】
この時、上記噴出口１２０は、単純に穿孔された形状で構成され、上記圧縮空気投入口２１０が円型の管状で下部面が下に一定の長さに延長されて上記噴出口１２０の内部に挟まれた後、溶接或いはボルト結合によって堅く結合できることは勿論であり、その反対に上記噴出口１２０が分岐管１１０の上面に一定の長さに突出形成され、その噴出口１２０が単純に穿孔された上記圧縮空気投入口２１０の内部に挟まれた後、溶接或いはボルト結合によって堅く結合できることは勿論である。
【００２６】
以下、本実施形態に係る空気増幅器を利用した圧縮空気噴射装置の作用について説明する。
【００２７】
図４に示すように、集塵機４００での集塵作用によって空気が浄化されてバグフィルター３００に汚染物が付着された後、間歇的または一定時間連続的に圧縮空気供給手段で２つに分岐された分岐管１１０を介して圧縮空気が供給される。このような圧縮空気は、上部に開放された噴出口１２０を介して供給され、このように供給される圧縮空気は、空気増幅器２００の圧縮空気投入口２１０を介して空気増幅器２００に流入される。
【００２８】
上記空気増幅器２００は、投入された圧縮空気を増幅させて上記分岐管１１０の中心線に向けて内側方向に側面に形成された圧縮空気排出口２２０を介して排出される。この時、上記空気増幅器２００の第１ガイド２２１と第２ガイド２２２を介してその排出方向が案内され、空気増幅器２００から排出される方向は図３の点線（２）のように上記圧縮空気投入口２１０を介して投入された方向の点線（１）とは異なる平面上で約９０゜の角度をなして排出される。
【００２９】
また、排出される圧縮空気は、上記第２ガイド２２２と誘導管２３０に沿って点線（３）の方向に流れるようになり、それと共に上記空気増幅器２００の上部で制裁を受けない自由状態の周辺空気が点線（４）の方向に共に流れるようになる。
【００３０】
すなわち、上記空気増幅器２００で増幅された圧縮空気がその上部の空気を共に吸引して誘導管２３０に沿ってバグフィルター３００の方向に供給され、上記圧縮空気供給手段から供給されたものに比べて約２０〜４０倍に至る多量の空気がバグフィルター３００に供給されて脱塵作用の効率を増加させる。この時、上記周辺空気が吸引される空気増幅器２００の上部には、他の設備がないので、周辺設備による障害を最小化して空気増幅器２００での増幅効率がそのまま示される。
【００３１】
一方、圧縮空気の導管が上記誘導管２３０を中心に両側に分岐された分岐管１１０形態で均衡に形成されるので、誘導管２３０に流入される圧縮空気が均一に分配、供給されて不完全な脱離の発生を防止するようになる。
【００３２】
以上、本発明は、上述した特定の好適な実施例に限定されるものではなく、特許請求範囲から請求する本発明の基本概念に基づき、当該技術分野における通常の知識を有する者であれば、様々な実施変形が可能であり、そのような変形は本発明の特許請求範囲に属するものである。
【図面の簡単な説明】
【００３３】
【図１】本実施形態に係る空気増幅器を利用した圧縮空気噴射装置の斜視図。
【図２】本実施形態に係る空気増幅器を利用した圧縮空気噴射装置の平面図。
【図３】本実施形態に係る空気増幅器を利用した圧縮空気噴射装置の断面図。
【図４】本実施形態に係る圧縮空気噴射装置が適用された集塵機バグフィルターの例示図。
【図５】従来のコアンダ効果を利用した圧縮空気噴射装置の部分切開図。
【図６】従来の圧縮空気噴射装置の他の実施形態を示す断面図。
【符号の説明】
【００３４】
１００…圧縮空気管
１１０…分岐管
１２０…噴出口
２００…空気増幅器
２１０…圧縮空気投入口
２２０…圧縮空気排出口
２２１…第１ガイド
２２２…第２ガイド
２３０…誘導管
３００…バグフィルター
４００…集塵機
【図１】
2008115847.tif 000003
【図２】
2008115847.tif 000004
【図３】
2008115847.tif 000005
【図４】
2008115847.tif 000006
【図５】
2008115847.tif 000007
【図６】
2008115847.tif 000008